(57)【要約】【課題】テーブルを安定した状態で設置することができ、飲料コップなどを載置する置き台として十分機能させ、テーブルに設けた包囲壁板により、焼き網からの放熱を遮ってビールなどの飲料を生温くせず、美味しい状態で喫飲できるバーベキュー用コンロ装置を提供する。【解決手段】テーブル８が収納胴体４の上端開口部付近で調整板Ｋ上に載置されているため、テーブル８が安定して飲料コップなどの容器を載置する置き台として十分機能する。矩形の包囲壁板９がテーブル８の開口周縁部８Ａに載置されるので、焼き網５からの放熱を遮ることができる。また、テーブル８は中央部で折り畳み可能で、包囲壁板９は対角線方向に折り畳み可能になっているため、使用後、テーブル８および包囲壁板９をコンパクトに収納することができて運搬に便利となる。【選択図】図１
2006055436.tif 000002
【特許請求の範囲】
【請求項１】
脚部に支えられて、内部に木炭などの燃料を収容するロストルが付設された収納胴体を備えたコンロ本体と、
前記収納胴体の上端開口部に着脱可能に装着された焼き面部と、
一端部が前記収納胴体に着脱可能に引っ掛けられて、他端部が前記収納胴体から垂下して段状をなす針金細工の棚部と、
前記収納胴体の前記上端開口部の外周縁部に嵌合するように配置されて前記棚部に着脱可能に載置された矩形枠状のテーブルと、
このテーブルの開口周縁部に着脱可能に載置されて前記焼き面部からの放熱を遮る矩形の包囲壁板とを具備し、
前記テーブルは、中央部に設けたヒンジ部により折り畳み可能になっており、前記包囲壁板は、隅角部に設けたヒンジ部により対角線方向に折り畳み可能になっていることを特徴とするバーベキュー用コンロ装置。
【請求項２】
前記脚部を前記コンロ本体に取付ける蝶ナットおよび締付ボルトと、
前記蝶ナットおよび前記締付ボルトにより前記脚部に取付けられ、前記棚部に代わって前記テーブルを載置する調整板とを備え、
前記調整板は、水平な長穴を上下複数段に形成しており、前記締付ボルトを前記複数の長穴に選択的に差し込むことにより前記テーブルを水平および上下方向に位置調節できるようになっていることを特徴とする請求項１に記載のバーベキュー用コンロ装置。
【請求項３】
前記棚部は、前記包囲壁板にも着脱可能に設けられ、魚などの食材を炙り焼き可能に支持するようになっていることを特徴とする請求項１に記載のバーベキュー用コンロ装置。
【請求項４】
前記矩形枠状のテーブルに代わって、板状に形成された単板テーブルが前記棚部に着脱可能に載置されることを特徴とする請求項１に記載のバーベキュー用コンロ装置。
【請求項５】
前記テーブルには、飲料コップなどの容器を嵌めてセットするために設けられ、スライド板により隠蔽可能な複数の収容穴が形成されており、前記スライド板は、前記テーブルの前記ヒンジ部に対応する位置にヒンジ機能を有する薄肉条溝部を形成していることを特徴とする請求項１または請求項２に記載のバーベキュー用コンロ装置。
【発明の詳細な説明】
【技術分野】
【０００１】
本発明は、野外に運び出しキャンプ地などで組み立てて用いるバーベキュー用コンロ装置に関する。
【背景技術】
【０００２】
近年、夏季のレクリエーションとして野外に涼を求めながら喫食を行うアウトドア志向の人口層が増えている。この便宜を供する器具として、野外へ運び出してキャンプ地で組み立てるバーベキューコンロがある（例えば特許文献１、２参照）。
特許文献１では、鉄板やバーベキュー網の高さ調節を可能にし、ロストル内の炭火からの距離を変更して火力の強弱を調整できるようにしている。また、特許文献２では、焼き過ぎ防止網を収納容器本体内に収納し、一度に多量の食材を焼いてしまった時、焼き過ぎ防止網を外に取出し、食材が焦げてしまうことを防いでいる。これら特許文献１、２では、各目的を個別に達成しているが、いずれにも収納容器本体の左右に蓋体が支承部により回動可能に取付けられており、バーベキューコンロの使用時に外側に開いて食材や調味料などを載置するサイドテーブルとして機能する。
【特許文献１】特開平１１−７００４６号公報
【特許文献２】特開平１１−７６０７０号公報
【発明の開示】
【発明が解決しようとする課題】
【０００３】
しかしながら、いずれの特許文献１、２でも、蓋体はピンによるヒンジで片持状態に支持されているため、上下に揺れ易く安定し難い構造である。このため、蓋体上の食材や調味料などが揺れ易くなり、サイドテーブルとしては十分に機能しない不都合がある。また、いずれの特許文献１、２にも、使用時に焼き面部からの放熱を遮るための部材が設けられていないので、焼き網からの放熱が蓋体上の食材や調味料などに直接影響を与える不都合がある。このため、蓋体をサイドテーブルとして用い、蓋体にビールなどの飲料コップを置いた場合、飲料コップが焼き網からの放熱を直に受け、ビールなどの飲料が生温くなって味を落とす虞がある。
【０００４】
本発明は上記の事情を考慮してなされ、その目的はテーブルを安定した状態で設置して飲料コップなどの容器を載置する置き台として十分機能させ、テーブルに設けた包囲壁板により、焼き面部からの放熱が遮られてビールなどの飲料が生温くならず、初期の美味しい状態で喫飲されるバーベキュー用コンロ装置を提供することにある。
【課題を解決するための手段】
【０００５】
（請求項１について）
コンロ本体は、脚部に支えられて、内部に木炭などの燃料を収容するロストルが付設された収納胴体を備える。焼き面部は、収納胴体の上端開口部に着脱可能に装着されている。針金細工の棚部は、一端部が収納胴体に引っ掛けられて、他端部が収納胴体から垂下して段状をなしている。矩形枠状のテーブルは、収納胴体の上端開口部の外周縁部に嵌合するように配置されて棚部に着脱可能に載置されている。矩形の包囲壁板は、テーブルの開口周縁部に着脱可能に載置されて焼き面部からの放熱を遮る。テーブルは、中央部に設けたヒンジ部により折り畳み可能になっており、包囲壁板は、隅角部に設けたヒンジ部により対角線方向に折り畳み可能になっている。
テーブルが収納胴体の棚部に載置されているため、テーブルが安定して飲料コップなどの容器を載置する置き台として十分機能する。また、矩形の包囲壁板をテーブルの開口周縁部に載置したので、焼き面部からの放熱が遮られて容器内のビールなどの飲料が生温くならず初期の美味しい状態で喫飲されるようになる。
しかも、テーブルは中央部で折り畳み可能で、包囲壁板は対角線方向に折り畳み可能になっているため、使用後、テーブルおよび包囲壁板をコンパクトに収納することができ、省スペース化に寄与して運搬に便利となる。
【０００６】
（請求項２について）
脚部をコンロ本体に取付ける蝶ナットおよび締付ボルトと、蝶ナットおよび締付ボルトにより脚部に取付けられ、棚部に代わってテーブルを載置する調整板とを備え、調整板は、水平な長穴を上下複数段に形成しており、締付ボルトを複数の長穴に選択的に差し込むことによりテーブルを水平方向および上下方向に位置調節できるようになっている。
この場合、蝶ナットおよび締付ボルトにより取付けた調整板でテーブルを載置する構成のため、テーブルが安定し、飲料コップなどの容器を載置する置き台として十分機能する。この時、蝶ナットおよび締付ボルトは、本来的に脚部をコンロ本体に取付ける部材のため、調整板を取付ける機能を兼用し、部品点数の増加をもたらさない利点がある。しかも、調整板によりテーブルの水平方向および上下方向の位置が調節されるので、食材の調理時や喫食時にテーブルの使い勝手がよくなる。
【０００７】
（請求項３について）
棚部は、包囲壁板にも着脱可能に設けられ、魚などの食材を炙り焼き可能に支持するようになっている。このため、焼き面部から上方に離して、弱い火力でじっくり仕上げる魚などの食材の調理に好都合である。
【０００８】
（請求項４について）
矩形枠状のテーブルに代わって、板状に形成された単板テーブルが棚部に着脱可能に載置される。このため、四方にテーブルを一律に設置することなく、単板テーブルを必要な位置だけに選択的に載置できる利点が得られる。
【０００９】
（請求項５について）
テーブルには、飲料コップなどの容器を嵌めてセットするために設けられ、スライド板により隠蔽可能な複数の収容穴が形成されている。スライド板は、テーブルのヒンジ部に対応する位置にヒンジ機能を有する薄肉条溝部を形成している。
この場合、使用時にスライド板により露出させた収容穴に飲料コップなどの容器を嵌めることができる。これにより、飲料コップなどの容器が安定し、調理時や喫食時にテーブルが揺れても容器が不用意に倒れることがない。また、テーブルを折り畳む時、スライド板も薄肉条溝部を介して折り曲げてテーブルと一緒に重ね合わすことができる。
【発明を実施するための最良の形態】
【００１０】
テーブルを安定した状態で棚部に設置し、飲料コップなどの容器を載置する置き台として十分機能させ、テーブルに載置した包囲壁板により、焼き面部からの放熱が遮られてビールなどの飲料が生温くならず初期の美味しい状態で喫飲されるようになる。
【実施例１】
【００１１】
本発明の実施例１を図１および図２に基づいて説明する。
図１に示すバーベキュー用コンロ装置１において、コンロ本体２は、金属パイプにより略逆Ｕ字状に曲成された脚部３に支えられて、内部に木炭などの火力燃料（図示せず）を収容するロストル（図示せず）を付設し、外側面部に多数の吸気孔４ａを形成した収納胴体４を備える。焼き網５は、焼き面部として野菜や肉などのバーベキュー用の食材を載せるためのもので、収納胴体４の上端開口部に着脱可能に装着されている。脚部３には、同一高さ位置に四組の蝶ナット６および締付ボルト７を脚部３の軸直角方向に止め部材として取付けている。
【００１２】
締付ボルト７は、収納胴体４および脚部３を貫通して蝶ナット６により締付けられているため、蝶ナット６および締付ボルト７は、本来的に脚部３をコンロ本体２の収納胴体４に取付ける役割を果たす。
横長矩形の調整板Ｋは、蝶ナット６および締付ボルト７により左右の脚部３に取付けられ、水平な長穴Ｋａ、Ｋｂ、Ｋｃを上下複数段に形成しており、締付ボルト７を複数の長穴Ｋａ〜Ｋｃのうちいずれかに選択的に差し込むことにより、後述するテーブル８を水平方向および上下方向に位置調節できるようになっている。
【００１３】
木製のテーブル８は矩形枠状に形成されており、収納胴体４の上端開口部の外周縁部に嵌め込まれるように配置されるようになっている。この状態で、図１に二点鎖線で示すように、テーブル８が調整板Ｋ上に着脱可能に載置されて支持される。矩形の包囲壁板９は、図２の（イ）に示すようにテーブル８の開口周縁部８Ａに着脱可能に載置されており、調理時に焼き網５から生じる放熱を遮るように機能する。また、包囲壁板９には、後述の実施例２で説明する棚部Ｎや受け棒Ｑが着脱可能に設けられている（図１参照）。
【００１４】
包囲壁板９は、所定の高さ寸法（例えば、８０〜１５０ｍｍ）を有する木製の細長板部９ａ〜９ｄからなり、図２の（ロ）に示すようにヒンジ部１０を隅角部に設けている。このため、棚部Ｎおよび受け棒Ｑを取外して包囲壁板９を押圧することにより、包囲壁板９が対角線方向に変位し、細長板部９ａ〜９ｄを重ね合う位置に折り畳まれる。また、テーブル８は、図２の（ハ）に示すように前後方向の中央部に設けたヒンジ部１１により、左右の半板部８ａ、８ｂを重ね合う位置に折り畳み可能になる。なお、包囲壁板９の材料は、木材をはじめ耐熱プラスチック、セラミック、合板あるいは耐熱合成繊維製の布地であってもよい。
【００１５】
上記構成では、バーベキュー用コンロ装置１を野外に運び出してキャンプ地などで組み立てた時、テーブル８が調整板Ｋに支持されるため、テーブル８がぐらつくことなく安定して飲料コップなどの容器Ｖを載置する置き台として十分機能する。蝶ナット６および締付ボルト７は、本来的に脚部３をコンロ本体２に取付ける部材のため、調整板Ｋを取付ける機能を兼用し、部品点数の増加をもたらさない利点がある。しかも、調整板Ｋによりテーブル８の水平方向および上下方向の位置が調節されるので、食材の調理時や喫食時にテーブル８の使い勝手がよくなる。
【００１６】
また、矩形の包囲壁板９をテーブル８の開口周縁部８Ａに載置したので、焼き網５からの放熱が遮られて容器Ｖ内のビールなどの飲料が生温くならず初期の美味しい状態で喫飲されるようになる。しかも、テーブル８は中央部で折り畳み可能で、包囲壁板９は対角線方向に折り畳み可能になっているため、使用後、テーブル８および包囲壁板９をコンパクトに収納することができ、省スペース化に寄与し運搬に便利でバーベキュー用コンロ装置１として好適である。
【実施例２】
【００１７】
図３は本発明の実施例２を示す。実施例２では、実施例１の調整板Ｋに代わって、段状をなす針金細工の棚部Ｎを収納胴体４の前後で下垂状態に設けている。すなわち、収納胴体４の左右両側には、略逆Ｌ字状をなす棚部Ｎの端部Ｎａ、Ｎｂが着脱可能に引っ掛けられた脚管状部Ｍが取付けられている。この場合、テーブル８は、左右方向の中央部にヒンジ部１１を有して棚部Ｎに載置される。このため、テーブル８が安定して飲料コップなどの容器を載置する置き台として十分機能する。
この棚部Ｎは、針金細工の受け棒Ｑとともに包囲壁板９の上端部に縦穴部２０を介して着脱可能に差し込まれ、魚などの食材を炙り焼き可能に支持するようになっている。このため、焼き網５から上方に離して、弱い火力でじっくり仕上げる魚などの食材の調理に好都合である。
【実施例３】
【００１８】
図４は本発明の実施例３を示す。実施例３が実施例１と異なるところは、収納胴体４の脚部３はＸ字状に交差しており、略Ｌ字状の棚部Ｎを収納胴体４の前後に設けていることである。この場合、収納胴体４の上端縁部には、図４の（イ）に示すように棚部Ｎの端部Ｎｃ、Ｎｄを着脱可能に引っ掛ける差込み穴部１２が形成されている。端部Ｎｃ、Ｎｄを介して差込み穴部１２に引っ掛けられた棚部Ｎは、テーブル８を載置して安定した状態で支持している。
【００１９】
Ｘ字状の脚部３のうちの一方は、軸脚部３ａに対して伸縮可能にスライドし、軸脚部３ａから適宜の長さを進出させた位置で螺子ボルトＢにより固定されている。キャンプ地などから撤退する際、一方の脚部３を軸脚部３ａに沿って引っ込ませることにより、コンロ本体２をコンパクトに収納できて運搬し易くなる利点がある。
また、実施例３では、矩形枠状のテーブル８に代わって、図４の（ロ）に示すように細長な単板テーブルＴを棚部Ｎに着脱可能に載置することができる。テーブル８と単板テーブルＴとを交換可能に設けることにより、四方にテーブルを一律に設置することなく、必要な位置だけに単板テーブルＴを選択的に載置できる利点が得られる。
【実施例４】
【００２０】
図５および図６は本発明の実施例４を示す。実施例４が実施例２と異なるところは、図５に示すように、摺動可能なスライド板１５をテーブル８に設けたことである。すなわち、テーブル８には、図６の（ロ）に示すように前後左右に直線状の溝部１３が形成されている。溝部１３の底部には、飲料コップなどの容器Ｖを嵌め込むために貫通させた複数の収容穴１４が設けられている。溝部１３には、溝部１３に沿って移動可能なプラスチック製のスライド板１５が設けられ、不使用時、スライド板１５は、図６の（イ）に示すように溝部１３を覆う遮蔽位置に摺動して収容穴１４を隠蔽している。使用時は、図６の（ロ）に示すようにスライド板１５を溝部１３から抜き出して収容穴１４を露出させる。
【００２１】
露出させた収容穴１４に飲料コップなどの容器Ｖを嵌めてセットすることができるので、飲料コップなどの容器Ｖがぐらつくことなく安定し、調理時や喫食時にテーブル８が揺れても容器Ｖが不用意に倒れることがない。なお、ヒンジ部１１に対応する前後のスライド板１５には、折り曲げ可能なヒンジ機能を有する薄肉条溝部１５ａが形成されており、前後のスライド板１５が遮蔽位置で薄肉条溝部１５ａを介してテーブル８と一緒に折り畳まれるようになっている。
【００２２】
（変形例）
なお、実施例１で用いた略逆Ｕ字状の脚部３、蝶ナット６および締付ボルト７を実施例３のコンロ本体２に適用してもよい。また、調整板Ｋには、水平な長穴Ｋａ〜Ｋｃに代わって、十字状の調整穴を蝶ナット６および締付ボルト７に対応させて貫通状態に形成してもよい。また、テーブル８の外周形状は、矩形に限らず円形をはじめ楕円形や多角形であってもよい。
【００２３】
実施例４でテーブル８に設けた収容穴１４には、容器Ｖをセットするだけでなく、焼き網５に載せた食材を摘むトングや食材を捌くへらなどの調理器具を掛けるようにしてもよい。また、テーブル８および包囲壁板９を木製にしたが、合板、プラスチックあるいはセラミックなどの材料により形成してもよい。包囲壁板９の高さ寸法は、８０〜１５０ｍｍに限らず使用状況などに応じて種々に設定することができる。食材としては野菜や肉に限らず焼きそば、焼きうどん、するめ、いか、ご飯類などであってもよく、焼き網５に代えて鉄板やエキスパンドメタル板などを用いてもよい。調整板Ｋに設けた長穴Ｋａ〜Ｋｃの個数は、三個に限らず使用状況などに応じて、四個あるいは五個と所望に設定することができる。
【産業上の利用可能性】
【００２４】
本発明では、テーブルが収納胴体の上端開口部付近で棚部に載置されているため、テーブルが安定して飲料コップなどの容器を載置する置き台として十分機能する。また、テーブルの開口周縁部に載置した矩形の包囲壁板により、焼き網からの放熱が遮られて容器内のビールなどの飲料が生温くならず初期の美味しい状態で喫飲される。さらに、テーブルおよび包囲壁板は折り畳み可能であるため、使用後、テーブルおよび包囲壁板をコンパクトに収納することができる。アウトドア志向の人口層が増加することに伴い、キャンプ地などで組み立てられるバーベキュー用コンロ装置の便利さが認められ、増産を通して製造業を活発化するので機械産業界に広く適用することができる。
【図面の簡単な説明】
【００２５】
【図１】バーベキュー用コンロ装置の分解斜視図である（実施例１）。
【図２】（イ）はテーブルと包囲壁板との斜視図、（ロ）は包囲壁板の斜視図、（ハ）はテーブルの斜視図である（実施例１）。
【図３】バーベキュー用コンロ装置の分解斜視図である（実施例２）。
【図４】（イ）はバーベキュー用コンロ装置の分解斜視図及び要部拡大図、（ロ）は単板テーブルの斜視図である（実施例３）。
【図５】バーベキュー用コンロ装置の分解斜視図及び要部拡大図である（実施例４）。
【図６】テーブルの作用を説明するために示す斜視図及び要部拡大図である（実施例４）。
【符号の説明】
【００２６】
１      バーベキュー用コンロ装置
２      コンロ本体
３      脚部
４      収納胴体
５      焼き網（焼き面部）
６      蝶ナット
７      締付ボルト
８      テーブル
８Ａ    開口周縁部
９      包囲壁板
９ａ〜９ｄ  細長板部
１０、１１  ヒンジ部
１３    溝部
１４    収容穴
１５    スライド板
１５ａ  薄肉条溝部
Ｂ      螺子ボルト
Ｖ      容器
Ｋ      調整板
Ｔ      単板テーブル
Ｎ      棚部
Ｋａ〜Ｋｃ  長穴
【図１】
2006055436.tif 000003
【図２】
2006055436.tif 000004
【図３】
2006055436.tif 000005
【図４】
2006055436.tif 000006
【図５】
2006055436.tif 000007
【図６】
2006055436.tif 000008